(57)【要約】      （修正有）【課題】片当たりを抑制した上で、動作信頼性を確保できる回転式圧縮機及び冷凍サイクル装置を提供することである。【解決手段】実施形態の回転式圧縮機は、シリンダと、軸受と、を持つ。シリンダは、回転軸３１が貫通するシリンダ室を形成する筒状である。軸受は、シリンダ室を閉塞するとともに、回転軸を回転可能に支持する。軸受には、シリンダ室内に向けて開口するとともに、周方向に沿って延びる環状溝８１、８６が形成される。そして、環状溝の内周面の少なくとも一部は、軸受の内周面からの径方向の距離が環状溝の溝底部側に向かうに従い非線形的に大きくなっている。【選択図】図４
2015218638.tif 000002
【特許請求の範囲】
【請求項１】
回転軸が貫通するシリンダ室を形成する筒状のシリンダと、
前記シリンダ室を閉塞するとともに、前記回転軸を回転可能に支持する軸受と、を備え、
前記軸受には、前記シリンダ室内に向けて開口するとともに、周方向に沿って延びる環状溝が形成され、
前記環状溝の溝内周面の少なくとも一部は、前記軸受の内周面からの径方向の距離が前記環状溝の溝底部側に向かうに従い非線形的に大きくなっている回転式圧縮機。
【請求項２】
前記溝内周面の少なくとも一部は、円弧状とされている請求項１に記載の回転式圧縮機。
【請求項３】
前記溝底部は、前記環状溝の深さ方向に向けて凸となる円弧部を有し、
前記溝内周面の円弧状部は、前記円弧部よりも曲率半径が大きくなっている請求項２に記載の回転式圧縮機。
【請求項４】
前記環状溝の溝外周面は、軸方向に沿って延びる円筒面とされている請求項１から請求項３の何れか１項に記載の回転式圧縮機。
【請求項５】
請求項１から請求項４の何れか１項に記載の回転式圧縮機と、
前記回転式圧縮機に接続された凝縮器と、
前記凝縮器に接続された膨張装置と、
前記膨張装置と前記回転式圧縮機との間に接続された蒸発器と、を備えている冷凍サイクル装置。
【発明の詳細な説明】
【技術分野】
【０００１】
本発明の実施形態は、回転式圧縮機及び冷凍サイクル装置に関する。
【背景技術】
【０００２】
従来から、空気調和装置等の冷凍サイクル装置に使用される回転式圧縮機として、回転軸が貫通するシリンダ室を形成する筒状のシリンダと、シリンダ室を閉塞するとともに、回転軸を回転可能に支持する軸受と、回転軸の回転によりシリンダ室内で偏心回転するローラと、を備えた構成が開示されている。
この種の回転式圧縮機では、ローラがシリンダ室内で偏心回転することで、シリンダ室内の冷媒を圧縮するように構成されている。
【０００３】
ところで、上述した回転式圧縮機では、圧縮時のガス荷重等により回転軸が径方向に撓み変形することで、軸受の一部で回転軸との接触面圧が局所的に高くなる部分が発生するおそれがある（いわゆる、片当たり）。この場合には、片当たり部分で油膜が破断される等して、回転軸のスムーズな回転が損なわれ、動作信頼性が低下する可能性がある。
【先行技術文献】
【特許文献】
【０００４】
【特許文献１】特開２０１１−１１１９７６号公報
【発明の概要】
【発明が解決しようとする課題】
【０００５】
本発明が解決しようとする課題は、片当たりを抑制した上で、動作信頼性を確保できる回転式圧縮機及び冷凍サイクル装置を提供することである。
【課題を解決するための手段】
【０００６】
実施形態の回転式圧縮機は、シリンダと、軸受と、を持つ。シリンダは、回転軸が貫通するシリンダ室を形成する筒状である。軸受は、シリンダ室を閉塞するとともに、回転軸を回転可能に支持する。軸受には、シリンダ室内に向けて開口するとともに、周方向に沿って延びる環状溝が形成される。そして、環状溝の内周面の少なくとも一部は、軸受の内周面からの径方向の距離が環状溝の溝底部側に向かうに従い非線形的に大きくなっている。
【図面の簡単な説明】
【０００７】
【図１】実施形態における回転式圧縮機の縦断面図を含む、冷凍サイクル装置の概略構成図。
【図２】シリンダ室内の構成を説明するための圧縮機構部の横断面図。
【図３】圧縮機構部を説明するための図１の拡大断面図。
【図４】図３のＡ部に相当する拡大断面図。
【図５】環状溝の深さ位置と軸受に作用する面圧との関係を示すグラフ。
【図６】実施形態の他の構成を示す図４に相当する拡大断面図。
【発明を実施するための形態】
【０００８】
以下、実施形態の回転式圧縮機及び冷凍サイクル装置を、図面を参照して説明する。
始めに、冷凍サイクル装置について簡単に説明する。
図１に示すように、本実施形態の冷凍サイクル装置１は、回転式圧縮機２と、回転式圧縮機２に接続された凝縮器３と、凝縮器３に接続された膨張装置４と、膨張装置４と回転式圧縮機２との間に接続された蒸発器５と、を備えている。
【０００９】
回転式圧縮機２は、いわゆるロータリ式の圧縮機であって、内部に取り込まれる低圧の気体冷媒（流体）を圧縮して高温・高圧の気体冷媒とする。なお、回転式圧縮機２の具体的な構成については後述する。
【００１０】
凝縮器３は、回転式圧縮機２から送り込まれる高温・高圧の気体冷媒から熱を放熱させ、高温・高圧の気体冷媒を高圧の液体冷媒にする。
膨張装置４は、凝縮器３から送り込まれる高圧の液体冷媒の圧力を下げ、高圧の液体冷媒を低温・低圧の液体冷媒にする。
蒸発器５は、膨張装置４から送り込まれる低温・低圧の液体冷媒を気化させ、低温・低圧の液体冷媒を低圧の気体冷媒にする。そして、蒸発器５において、低圧の液体冷媒が気化する際に周囲から気化熱を奪い、周囲が冷却される。なお、蒸発器５を通過した低圧の気体冷媒は、上述した回転式圧縮機２内に取り込まれる。
【００１１】
このように、本実施形態の冷凍サイクル装置１では、作動流体である冷媒が気体冷媒と液体冷媒とに相変化しながら循環し、気体冷媒から液体冷媒に相変化する過程で放熱され、液体冷媒から気体冷媒に相変化する過程で吸熱され、これらの放熱や吸熱を利用して暖房や冷房等が行われる。
【００１２】
次に、上述した回転式圧縮機２について説明する。
本実施形態の回転式圧縮機２は、圧縮機本体１１とアキュムレータ１２とを備えている。
アキュムレータ１２は、いわゆる気液分離器であって、上述した蒸発器５と圧縮機本体１１との間に設けられている。アキュムレータ１２は、吸い込みパイプ２１を通して圧縮機本体１１の後述するシリンダ４１に接続されており、蒸発器５で気化された気体冷媒、及び蒸発器５で気化されなかった液体冷媒のうち、気体冷媒のみを圧縮機本体１１に供給するように構成されている。
【００１３】
圧縮機本体１１は、回転軸３１と、回転軸３１を回転させる電動機部３２と、回転軸３１の回転により気体冷媒を圧縮する圧縮機構部３３と、これら回転軸３１、電動機部３２及び圧縮機構部３３が収納された円筒状の密閉容器３４と、を備えている。なお、密閉容器３４内には、潤滑油Ｊが収容されており、圧縮機構部３３の一部が潤滑油Ｊ内に浸漬されている。
【００１４】
密閉容器３４及び回転軸３１は、軸線Ｏに沿って同軸状に配置されている。以下の説明では、軸線Ｏに沿う方向を単に軸方向といい、軸方向に沿う電動機部３２側（一端側）を単に上方、圧縮機構部３３側（他端側）を下方という。さらに、軸方向から見た平面視で軸線Ｏに直交する方向を径方向、軸線Ｏ周りの方向を周方向という。
【００１５】
電動機部３２は、いわゆるインナーロータ型のＤＣブラシレスモータである。具体的に、電動機部３２は、密閉容器３４内に焼嵌め等により固定された筒状の固定子３５と、固定子３５の内側に径方向に間隔をあけて配置されるとともに、回転軸３１の上部に固定された円柱状の回転子３６と、を備えている。
【００１６】
圧縮機構部３３は、回転軸３１が貫通するシリンダ室４６を形成する筒状のシリンダ４１と、シリンダ室４６の両側の開口部を各別に閉塞するとともに、回転軸３１を回転可能に支持する主軸受４２及び副軸受４３と、を備えている。そして、シリンダ４１、主軸受４２及び副軸受４３により画成された空間がシリンダ室４６を構成している。なお、シリンダ４１には、上述した吸い込みパイプ２１が接続されており、アキュムレータ１２で気液分離された気体冷媒がシリンダ室４６内に取り込まれるようになっている。
【００１７】
上述した回転軸３１のうち、シリンダ室４６内に位置する部分には、軸線Ｏに対して径方向に偏心する偏心部５１が形成されている。
偏心部５１にはローラ５３が外嵌されている。ローラ５３は、回転軸３１の回転に伴い、外周面がシリンダ４１の内周面に摺接しながら、軸線Ｏに対して偏心回転可能に構成されている。
【００１８】
図２に示すように、シリンダ４１には、径方向の外側に向けて窪むブレード溝５４がシリンダ４１の軸方向の全体に亘って形成されている。また、ブレード溝５４内には、径方向に沿ってスライド移動可能なブレード５５が設けられている。ブレード５５は、図示しない付勢手段により径方向の内側に向けて付勢されるとともに、その先端部がシリンダ室４６内においてローラ５３の外周面に当接している。これにより、ブレード５５は、ローラ５３の回転動作に応じてシリンダ室４６内に進退可能に構成されている。そして、シリンダ室４６は、ローラ５３及びブレード５５によって吸込室側と圧縮室側とに区画されている。そして、ローラ５３の回転動作及びブレード５５の進退動作により、シリンダ室４６内で圧縮動作が行われる。
【００１９】
また、シリンダ４１において、ローラ５３の回転方向（図２中の矢印参照）に沿うブレード溝５４の前側（図２中、ブレード溝５４の右側）に位置する部分には、シリンダ４１を径方向に貫通する吸込孔５６が形成されている。吸込孔５６は、径方向の外側端部に上述した吸い込みパイプ２１が接続される一方、径方向の内側端部がシリンダ室４６内に開口している。
さらに、シリンダ４１の内周面において、ローラ５３の回転方向に沿うブレード溝５４の手前側（図２中、ブレード溝５４の左側）に位置する部分には、後述する吐出孔６３に連通する吐出溝５８が形成されている。吐出溝５８は、軸方向から見た平面視で半円形状に形成されている。
【００２０】
図３に示すように、主軸受４２は、シリンダ４１に対して上方に配設され、回転軸３１のうち、シリンダ４１よりも上方に位置する部分を回転可能に支持している。具体的に、主軸受４２は、回転軸３１が挿通される筒部６１と、筒部６１の下端縁から径方向の外側に向けて突設され、シリンダ室４６を上方から閉塞するフランジ部６２と、を備えている。なお、フランジ部６２における周方向の一部には、上述した吐出溝５８を通してシリンダ室４６内に連通する吐出孔６３と、シリンダ室４６内外の圧力差に応じて吐出孔６３を開閉可能な吐出弁機構６４と、が配設されている。
【００２１】
主軸受４２には、主軸受４２を上方から覆うマフラ６５が設けられている。図示の例において、マフラ６５には、マフラ６５の内外を連通させる図示しない連通孔が形成され、吐出孔６３から吐出された高温・高圧の気体冷媒が連通孔を通して密閉容器３４内に吐出される。
【００２２】
副軸受４３は、シリンダ４１に対して下方に配設され、回転軸３１のうち、シリンダ４１よりも下方に位置する部分を回転可能に支持している。具体的に、副軸受４３は、回転軸３１が挿通される筒部７１と、筒部７１の上端縁から径方向の外側に向けて突設され、シリンダ室４６を下方から閉塞するフランジ部７２と、を備えている。なお、主軸受４２及び副軸受４３の内周面と回転軸３１との間や、ローラ５３の外周面とシリンダ室４６の内周面との間等の摺動部分には、潤滑油Ｊによる油膜が形成されている。
【００２３】
ここで、図３、図４に示すように、上述した主軸受４２におけるフランジ部６２の内周部分（筒部６１とフランジ部６２との境界部分）には、上方に向けて窪む（シリンダ室４６内に向けて開口する）第１環状溝８１が全周に亘って形成されている。第１環状溝８１は、軸方向に沿う縦断面視において、上方に向かうに従い溝幅が漸次先細っている。具体的に、第１環状溝８１は、図４に示すように、径方向の内側に位置する溝内周面８２と、径方向の外側に位置して、溝内周面８２に対して間隔をあけて配置された溝外周面８３と、溝内周面８２及び溝外周面８３の上端同士を接続する溝底部８４と、で画成されている。
【００２４】
溝内周面８２は、軸方向に沿う縦断面視において、上端と下端（第１環状溝８１の開口縁）とを結ぶ仮想線Ｌよりも径方向の内側に窪んでおり、図示の例では径方向の内側に向けて凸の円弧状を呈している。具体的に、溝内周面８２は、主軸受４２の内周面（軸受面）からの径方向の距離が、上方に向かうに従い非線形的に大きくなっている。すなわち、溝内周面８２は、深さの増加に対する主軸受４２の内周面からの径方向の距離の増加の割合が、溝底部８４側に向かうに従い大きくなっている。この場合、仮想線Ｌと溝内周面８２との径方向の距離は、上部及び下部から中央部に向かうに従い漸次大きくなっている。
【００２５】
溝外周面８３は、軸方向に沿う縦断面視において、軸方向に沿って延びる円筒面とされている。溝外周面８３は、少なくともローラ５３の外周面よりも径方向の内側に位置している。
溝底部（円弧部）８４は、軸方向に沿う縦断面視において、上方、すなわち第１環状溝８１の深さ方向に向けて凸の円弧状を呈し、径方向の両端部において溝内周面８２及び溝外周面８３にそれぞれ滑らかに連なっている。なお、溝底部８４の曲率半径は、溝内周面８２の曲率半径よりも小さくなっている。
【００２６】
そして、本実施形態では、主軸受４２のうち、第１環状溝８１よりも径方向の内側に位置する部分が、径方向に撓み変形可能な撓み部８５を構成している。なお、撓み部８５の径方向の外側に位置する面は、溝内周面８２により構成されている。したがって、撓み部８５の径方向における幅は、第１環状溝８１の開口縁側から溝底部８４側に向かうに従い非線形的に広くなっている。
【００２７】
また、上述した副軸受４３におけるフランジ部７２の内周部分（筒部７１とフランジ部７２との境界部分）には、下方に向けて窪む第２環状溝８６が全周に亘って形成されている。なお、本実施形態において、第２環状溝８６は、上述した第１環状溝８１と同等の構成であるため、図４に示す主軸受４２や第１環状溝８１に対して副軸受４３や第２環状溝８６の符号を付し、第２環状溝８６の詳細な説明を省略する。また、以下の説明において、軸方向に沿うシリンダ室４６側を内側、シリンダ室４６とは反対側を外側という場合がある。
【００２８】
このように構成された回転式圧縮機２において、図１に示すように電動機部３２の固定子３５に電力が供給されることで、回転軸３１が回転子３６とともに軸線Ｏ周りに回転する。そして、回転軸３１の回転に伴い、偏心部５１及びローラ５３がシリンダ室４６内で偏心回転する。このとき、ローラ５３がシリンダ４１の内周面にそれぞれ摺接することで、吸込みパイプ２１を通してシリンダ室４６内に気体冷媒が取り込まれるとともに、シリンダ室４６内に取り込まれた気体冷媒が圧縮される。
【００２９】
圧縮された気体冷媒は、主軸受４２の吐出孔６３を通してシリンダ室４６の外側に吐出され、その後マフラ６５の連通孔を通って密閉容器３４内に吐出される。なお、密閉容器３４内に吐出された気体冷媒は、上述したように凝縮器３に送り込まれる。
【００３０】
ここで、圧縮時のガス荷重等により回転軸３１が径方向に撓み変形した場合には、軸受４２，４３の撓み部８５が回転軸３１に倣って径方向の外側に向けて撓み変形することになる。そのため、回転軸３１の片当たりを抑制して、動作信頼性を確保することができる。
【００３１】
特に、本実施形態では、溝内周面８２において、軸受４２，４３の内周面からの径方向の距離が、軸方向の外側に向かうに従い非線形的に大きくなっている構成とした。この場合、例えば軸受４２，４３の内周面からの径方向の距離が軸方向の外側に向かうに従い線型的に大きくなるテーパ状（例えば、仮想線Ｌに沿う傾斜面）に溝内周面８２を形成する場合に比べ、撓み部８５における軸方向の中央部分での径方向の幅を狭くできる。そのため、撓み部８５の剛性を軸方向における広範囲に亘って小さくすることが可能になり、回転軸３１の撓み変形に倣って撓み部８５を広範囲に撓み変形させることができる。したがって、撓み部８５に作用する面圧が局所的に大きくなるのを抑制し、動作信頼性を向上させることができる。なお、本実施形態では、溝内周面８２と軸受４２，４３の内周面との間の径方向の距離を軸方向の全体に亘って同一に形成する場合に比べて、軸受４２，４３のうち、撓み部８５と撓み部８５よりも軸方向の外側に位置する部分との間での剛性の急変を抑制できる。
【００３２】
また、溝内周面８２が径方向の内側に向けて凸の円弧状とされているため、複雑な加工を伴うことなく環状溝８１，８６を形成できる。この場合には、環状溝８１，８６を形成するための工具の製造や、環状溝８１，８６の検査も容易になるので、製造効率の向上を図ることができる。
【００３３】
さらに、溝内周面８２の曲率半径が溝底部８４の曲率半径よりも大きくなっているため、溝内周面８２の内面形状を滑らかに変化させることができる。この場合、環状溝８１，８６の軸方向における長さを確保できるとともに、撓み部８５の剛性が急激に変化するのを抑制できる。
【００３４】
しかも、本実施形態では、溝外周面８３を軸方向に沿って延びる円筒面に構成した。この構成によれば、例えば軸方向の内側に向かうに従い径方向の外側に向けて延びるテーパ状や円弧状に溝外周面８３を形成する場合に比べて、フランジ部６２，７２における軸方向の内側端面上（環状溝８１，８６の開口面上）での溝外周面８３の位置を径方向の内側に位置させることができる。そのため、フランジ部６２，７２における軸方向の内側端面のうち、環状溝８１，８６よりも径方向の外側に位置する部分の面積を確保でき、ローラ５３とのシール性を確保できる。
【００３５】
そして、本実施形態の冷凍サイクル装置１においては、上述した回転式圧縮機２を備えているため、高品質で信頼性の高い冷凍サイクル装置１を提供できる。
【００３６】
ここで、環状溝８１，８６の深さ位置に対する軸受４２，４３（撓み部８５）に作用する面圧が、溝内周面８２の形状に応じてどのように変化するかを解析した。なお、以下の説明において、実施例及び比較例で上述した実施形態と対応する構成には、同一の符号を付して説明する。
【００３７】
本解析において、実施例は、上述した実施形態の回転式圧縮機２であって、環状溝８１，８６を有している。一方、比較例は、溝内周面８２において、軸受４２，４３の内周面からの径方向の距離が、軸方向の外側に向かうに従い線形的に大きくなっている形状（テーパ状）とされた回転式圧縮機２である。なお、実施例及び比較例において、環状溝８１，８６の上端及び下端における径方向位置はそれぞれ同等になっている。すなわち、比較例における溝内周面８２は、上述した仮想線Ｌに沿って延在している。
【００３８】
図５に示すように、比較例において、軸受４２，４３の内周面（撓み部８５）に作用する面圧は、環状溝８１，８６の開口部側（撓み部８５における軸方向の内側端部）で局所的に作用していることが分かる。すなわち、比較例では、撓み部８５における軸方向の内側端部の撓み変形不足により、環状溝８１，８６の開口部側での面圧が高くなるものと考えられる。このように、面圧が局所的に作用すると、上述したように回転軸３１と軸受４２，４３との間の油膜が破断される等して、回転軸３１のスムーズな回転が損なわれ、動作信頼性が低下する可能性がある。
【００３９】
これに対して、実施例において、軸受４２，４３の内周面に作用する面圧が、環状溝８１，８６の深さ位置に関わらずほぼ一定に作用していることが分かる。これは、上述したように撓み部８５における軸方向の中央部分での径方向の幅を比較例に比べて狭くすることができたため、回転軸３１の撓み変形に倣って撓み部８５を広範囲に撓み変形させることができたためと考えられる。このように、撓み部８５に作用する面圧が局所的に大きくなるのを抑制することで、回転軸３１と軸受４２，４３との間に油膜が均一に生成され、動作信頼性を向上させることができる。
【００４０】
なお、上述した実施形態では、回転式圧縮機２として、ロータリ式の圧縮機について説明したが、これに限らず、スクロール式の圧縮機にも適宜採用することができる。
また、本実施形態の回転式圧縮機２を、シリンダ室４６を２つ有するツインロータリ式の圧縮機に採用することも可能である。
【００４１】
さらに、上述した実施形態では、ローラ５３とブレード５５とを別体で形成した場合について説明したが、これに限らず、ローラ５３とブレード５５とを一体で形成しても構わない。
さらに、上述した実施形態では、溝底部８４が全体に亘って円弧状とされた構成について説明したが、これに限られない。例えば、溝底部８４のうち、一部（例えば、溝内周面８２及び溝外周面８３との境界部分）に円弧部を有すればよい。
また、上述した実施形態では、軸受４２，４３の双方に環状溝８１，８６を形成した場合について説明したが、これに限らず、軸受４２，４３の少なくとも一方側に環状溝が形成されていれば構わない。
【００４２】
また、溝内周面は、少なくとも一部が軸受４２，４３の内周面からの径方向の距離が溝底部８４側に向かうに従い非線形的に大きくなり、溝内周面の全体として非線形的に形成されていれば構わない。
例えば図６に示す溝内周面１８２のように、開口部側に位置して軸方向に沿って延びる円筒部１８２ａと、溝底部８４側に位置して径方向の内側に向けて凸の円弧状部１８２ｂと、を有する構成としても構わない。この場合、円筒部１８２ａは、軸受４２，４３の内周面からの径方向の距離が、軸方向全体に亘って一定（線型的）になっている。一方、円弧状部１８２ｂは、上方に向かうに従い軸受４２の内周面からの径方向の距離が、上方に向かうに従い非線形的に大きくなっている。したがって、溝内周面１８２は、軸受４２，４３の内周面からの径方向の距離が溝底部８４側に向かうに従い全体として非線形的に大きくなっている。
【００４３】
図６に示す構成によれば、溝内周面１８２における開口部側を円筒部１８２ａとすることで、撓み部８５における軸方向の中央部分の剛性を小さくするために、内側端部を必要以上に薄くすることがない。そのため、加工時や組立時等における撓み部８５の変形や破損等を抑制し、製造効率を向上させることができる。
【００４４】
以上説明した少なくともひとつの実施形態によれば、溝内周面の少なくとも一部が軸受の内周面からの径方向の距離が溝底部側に向かうに従い非線形的に大きくなっているため、軸受における環状溝よりも径方向の内側に位置する部分の剛性を軸方向の広範囲に亘って小さくすることが可能になる。これにより、軸受における環状溝よりも径方向の内側に位置する部分を、回転軸の撓み変形に倣って広範囲に撓み変形させることができる。その結果、軸受に作用する面圧が局所的に大きくなるのを抑制し、動作信頼性を向上させることができる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…冷凍サイクル装置、２…回転式圧縮機、３…凝縮器、４…膨張装置、５…蒸発器、３１…回転軸、４１…シリンダ、４２…主軸受（軸受）、４３…副軸受（軸受）、４６…シリンダ室、８１…第１環状溝（環状溝）、８２，１８２…溝内周面、８３…溝外周面、８４…溝底部、８６…第２環状溝（環状溝）
【図１】
2015218638.tif 000003
【図２】
2015218638.tif 000004
【図３】
2015218638.tif 000005
【図４】
2015218638.tif 000006
【図５】
2015218638.tif 000007
【図６】
2015218638.tif 000008